(57)【要約】【課題】製品、又は部材等に印字されている２次元コードを含むＩＤコードを各々工程の適宜の時点で読み取り、そのＩＤコードでもって生産工程の履歴管理を行う場合、読み取りに必要な光量を得るための光源が薄型シート形状のにすることにより、狭い間隙に配列し載置した透明基板、又は部材等に印字されているＩＤコードを読み取り可能とするＩＤコード読取方法を提供することである。【解決手段】透明基板の端部に形成されたＩＤコードを読み取る方法であって、透明基板が狭い間隙を介して積層若しくは林立してケースに収納されており、エルクトロルミネセンスパネル（ＥＬパネル）からなる薄型シート光源と固体撮像素子との読み取り装置の間に、前記透明基板の端部が挟まれるように存在する状態で、前記ＥＬパネルを光源として利用しＩＤコードを読み取るＩＤコード読取方法。【選択図】図１
2007193556.tif 000002
【特許請求の範囲】
【請求項１】
透明基板の端部に形成されたＩＤコードを読み取る方法であって、透明基板が狭い間隙を介して積層若しくは林立してケースに収納されており、薄型シート光源と固体撮像素子との読み取り装置の間に、前記透明基板の端部が挟まれるように存在する状態で、ＩＤコードを読み取ることを特徴とするＩＤコード読取方法。
【請求項２】
前記薄型シート光源は、エルクトロルミネセンスパネル（ＥＬパネル）であり、該ＥＬパネルを光源として利用しＩＤコードを読み取ることを特徴とする請求項１記載のＩＤコード読取方法。
【請求項３】
前記薄型シート光源は、その厚さが０．１５〜１．５ｍｍであって、板状若しくはフレキシブルなシート状で、且つ透明性を有するエルクトロルミネセンスパネル（ＥＬパネル）であることを特徴とする請求項１、又は２記載のＩＤコード読取方法。
【発明の詳細な説明】
【技術分野】
【０００１】
本発明は、透明基板の端部に形成されたＩＤコードの読取方法に関する。
【背景技術】
【０００２】
透明基板の製品、又は部材等に印字されている２次元等のＩＤコードをＣＣＤカメラにより、各々工程の適宜の時点で読み取り、そのＩＤコードでもって生産工程の履歴管理を行う場合、読み取りに必要な光量を得るための光源には、ＬＥＤ照明が用いられている。
【０００３】
前記装置では、上方に読み取り装置、例えばＣＣＤカメラを配置し、下方に照明光源、例えばＬＥＤ（発光ダイオード）照明を配置し、被検査体の透過部を透過してＣＣＤカメラで撮像される構造が一般的である（特許文献１参照）。
【０００４】
前記ＬＥＤ照明について以下説明する。バックライトであるＬＥＤ照明は、被検査体の裏面に配置された直下型の構造であって、断面くさび状の導光板と、この導光板の裏面に設けられた線状光源とにより構成されている。線状光源には、例えば線状に配列されたＬＥＤが用いられている。そして、導光板へ入射した線状光源のＬＥＤ光を拡散させることにより、導光板の前面に亘って均一な光を出射させるようにしている。
【０００５】
照明光源の機器（以下照明機器と記す）では、例えば、液晶表示パネル自体のバックライトとなる線状光源のＬＥＤ、散乱層、反射板等の導光板を合体したものであり、機器としてＬＥＤ照明機器と同等の厚さに等しいか、それ以上厚いものが一般的であり、極薄の照明機器は使用されていない。
【０００６】
ＬＥＤ照明を光源として用いる場合、ＬＥＤ照明機器自体の厚みがあり、前記照明機器自体より狭い間隙では、ＬＥＤ照明機器の設置が不可能であるため、２次元コードの読み取りが出来ない問題がある。前記ＬＥＤ照明機器自体の厚みは、薄いものでも５ｍｍ程度有り、５ｍｍ以下の間隙では、ＬＥＤ照明機器が使用できない。
【０００７】
図４は、従来のＩＤコードの読み取り方法の装置の側断面図である。従来の装置では、装置台座３０上に照明の光源が配置され、照明光源１０の上方に照明光源と向き合う位置に読み取り用の固体撮像素子のＣＣＤカメラ２０が配置され、照明光源と固体撮像素子の間隙に透明基板を載置するステージ３を配置し、該ステージ上の透明基板に形成したＩＤコード２を読み取る機能を備えている。
【０００８】
図４では、透明基板１の下側にＬＥＤの照明光源１０があり、該照明光源設置では相当程度のスペースが必要となる。すなわち、ＬＥＤの照明光源の場合、５ｍｍ以上のスペースを確保することが必要となる。装置が大型となり、透明基板の下側にスペースが確保出来ない場合では、ＬＥＤの照明光源が配置出来ずに、ＩＤコードの読み取りが出来ないこともある。従来の装置では、透明基板を１枚、１枚と装置に投入し、透明基板毎にＩＤコードを読み取る方法を行っていた。前記ＩＤコードを読み取る方法では、カセットからの透明基板の搬出及び搬入が必要となり、その時間が増加する問題がある。
【０００９】
一般に、透明基板は、カセットに収納されている。カセットでは、透明基板を水平方向に積層した状態で収納する場合と、又は垂直方向の林立した状態で収納する。水平方向に積層した状態で収納した透明基板は、カセット側面に凸設した段を介して載置され、透明基板と透明基板を非接触とした方法で収納されている。垂直方向の林立した状態で収納した透明基板は、カセットの底板を凹状の溝を設け、前記溝に透明基板を挿入し、立てた状
態でお互い非接触とした方法で収納されている。カセットに収納した状態での読み取り方法が要望されている。
【００１０】
透明基板の大型化、カセットの利用範囲の拡大等の生産方式の状況変化があり、ＩＤコードの読み取りの頻度も増加するため、ＩＤコードの読み取り装置の小型化、読み取り方法のより簡素化が要望されている。
【００１１】
以下に公知文献を記す。
【特許文献１】特開２００５−２０１６４６号公報
【発明の開示】
【発明が解決しようとする課題】
【００１２】
本発明の課題は、製品、又は部材等に印字されている２次元コードを含むＩＤコードを各々工程の適宜の時点で読み取り、そのＩＤコードでもって生産工程の履歴管理を行う場合、読み取りに必要な光量を得るための光源が薄型シート形状のにすることにより、狭い間隙に配列し載置した透明基板、又は部材等に印字されているＩＤコードを読み取りを可能とするＩＤコード読取方法を提供することである。
【課題を解決するための手段】
【００１３】
本発明の請求項１に係る発明は、透明基板の端部に形成されたＩＤコードを読み取る方法であって、透明基板が狭い間隙を介して積層若しくは林立してケースに収納されており、薄型シート光源と固体撮像素子の読み取り装置の間に前記透明基板の端部が挟まれるように存在する状態で、ＩＤコードを読み取ることを特徴とするＩＤコード読取方法である。
【００１４】
本発明の請求項２に係る発明は、前記薄型シート光源は、エルクトロルミネセンスパネル（ＥＬパネル）であり、該ＥＬパネルを光源として利用しＩＤコードを読み取ることを特徴とする請求項１記載のＩＤコード読取方法である。
【００１５】
本発明の請求項３に係る発明は、前記薄型シート光源は、その厚さが０．１５〜１．５ｍｍであって、板状もしくはフレキシブルなシート状のエルクトロルミネセンスパネル（ＥＬパネル）であることを特徴とする請求項１、又は２記載のＩＤコード読取方法である。
【発明の効果】
【００１６】
本発明のＩＤコード読取方法を用いることにより、カセット内の狭い間隙でＩＤコードを読み取ることが可能となり、安易な方法で効率良くＩＤコードを読み取るＩＤコード読取方法が提供できる。
【００１７】
本発明のＩＤコード読取方法を用いることにより、カセット内の狭い間隙でＩＤコードを読み取ることが可能となり、透明基板が収納されたカセット毎に装置内に投入してＩＤコードを読み取るため、カセットからの透明基板の搬出及び搬入が不必要となり、読み取り時間を大幅に削減される。
【発明を実施するための最良の形態】
【００１８】
本発明のＩＤコード読取方法を一実施形態に基づいて以下説明する。
【００１９】
図１は、本発明のＩＤコード読取方法の一実施例の説明図である。透明基板１は、カセット５０の底部に垂直方向に林立した状態で、カセットの底板を凹状の溝に透明基板を挿
入し、立てた状態でお互い非接触とした方法で収納されている。その上方に固体撮像素子のＣＣＤカメラ２０が配置され、並列して薄型シート光源のＥＬパネル１１の光源も配置されている。ＣＣＤカメラ２０とＥＬパネルよりなる読み取り装置２５は、ＣＣＤカメラ２０とＥＬパネルの間隔が透明基板間の間隔と同じ距離に調整され、平行方向に前記間隔だけ左右移動２２、及び基板面と平行すなわち垂直方向の上下移動２３の機能を備えている。なお、ＣＣＤカメラ２０の先端には、プリズムミラー等で像を９０度反射するようにプリズムミラー反射部２１を備え、狭い間隔に対応する工夫されている。
【００２０】
透明基板の端部に形成されたＩＤコード２を読み取る方法を説明する。透明基板１が狭い間隙を介して林立してカセット５０に収納されており、薄型シート光源のＥＬパネル１１の光源と固体撮像素子のＣＣＤカメラ２０の先端部の間に透明基板１のＩＤコード２形成端部が挟まれるように配置されている。ＩＤコード２は、正面位置にＣＣＤカメラ２０の先端部、裏面位置にＥＬパネル光源１１となる状態で、該状態で停止し、透過光のＩＤコードのパターンを撮像する。次いで、ＩＤコード２のデータ内容を前記画像データからデータ処理し抽出する方法で読み取る。次いで、ＥＬパネル光源１１とＣＣＤカメラ２０の先端部は、上下移動２３により透明基板内側より透明基板外側まで上昇し、停止後次の読み取り基板位置の透明基板外側位置まで左右移動２２し、停止後上下移動２３により透明基板外側より透明基板内側まで降下し、透明基板内側のＩＤコードのパターンを撮像位置に停止後、透過光のＩＤコードのパターンを撮像する。以下動作を繰り返し実行するＩＤコード読取方法である。
【００２１】
図２は、本発明のＩＤコード読取方法の一実施例の側断面図である。
【００２２】
図２は、本発明のＩＤコードの読み取り方法の装置の側断面図である。本発明の装置では、照明の光源の配置スペースが狭い場合に最適な読み取り装置である。前記照明の光源は、薄型シート光源としてエルクトロルミネセンスパネル（ＥＬパネル）を用い、該ＥＬパネルを光源として利用した。
【００２３】
図２に示すように、ＩＤコードの読み取り装置では、台座３０上に照明の光源のＥＬパネル１１が配置され、ＥＬパネル照明光源の上方にＥＬパネル１１と向き合う位置に読み取り用の固体撮像素子のＣＣＤカメラ２０が配置され、ＥＬパネル１１とＣＣＤカメラ２０の間隙に透明基板を載置するステージ３を配置し、ステージ３上の透明基板１に形成したＩＤコード２を読み取る機能を備えている。図２では、透明基板の下側に薄型シート光源であるＥＬパネル１１の照明光源があり、該照明光源設置では極狭い間隙程度のスペース、例えば０．１５〜１．５ｍｍ程度の間隙があればよい。すなわち、ＥＬパネルの照明光源の場合、１．５ｍｍ以下のスペースを確保することでよい。装置が超小型となり、透明基板の下側に狭いスペースしか確保出来ない場合でも、ＥＬパネル１１の照明光源が配置でき、ＩＤコードの読み取りができる。本発明の装置では、透明基板を１枚、１枚と装置に投入し、透明基板毎に連続してＩＤコードを読み取る方法でも、又はカセットに林立した状態で収納した透明基板をカセット毎に装置に投入し、透明基板毎に連続してＩＤコードを読み取る方法も可能となる。
【００２４】
また、カセットに透明基板を水平方向に積層した状態で収納する場合、透明基板は、カセット側面に凸設した段を介して載置され、透明基板と透明基板を非接触とした方法で収納されているため、図２の読み取り方法において、ＣＣＤカメラの方向をＥＬパネル１１と平行するように配置し、前記透明基板間の空間部に、ＥＬパネル１１とＣＣＤカメラ２０の先端部を挟むように配置後、ＩＤコード２の読み取りを行う。ＩＤコード２は、上方位置にＣＣＤカメラ２０の先端部、下方位置にＥＬパネル光源１１なり、該状態で停止し、透過光のＩＤコードのパターンを撮像する。次いで、ＩＤコード２は、前記画像データからデータ処理し抽出する方法で読み取る。次いで、ＥＬパネル光源１１とＣＣＤカメラ
２０の先端部は、左右移動により透明基板内側より透明基板外側まで水平移動し、停止後次の読み取り基板位置の透明基板外側位置まで上下移動し、停止後左右移動により透明基板外側より透明基板内側まで水平移動し、透明基板内側のＩＤコードのパターンを撮像位置に停止後、透過光のＩＤコードのパターンを撮像する。以下動作を繰り返し実行するＩＤコード読取方法である。
【００２５】
図３は、本発明のＩＤコード読取方法に用いた照明用のＥＬパネルの側断面図である。
【００２６】
前記薄型シート光源は、その厚さが０．１５〜１．５ｍｍであって、板状もしくはフレキシブルなシート状で、且つ透明性を有するＥＬパネルである。
【００２７】
本発明ＩＤコード読取方法では、照明光源としてＥＬパネルと記すを用いる方法である。ＥＬパネルについて以下説明する。前記ＥＬパネルは、その厚さが極めて薄く、その発光面を任意に分割して点滅させることもできる。また、ＥＬパネルは、構造が単純であり、多層構造で、該層に交流電源を印加することにより発光するもので、散乱層、反射板等の導光板も不要な構造である。
【００２８】
本発明に用いるＥＬパネルについて以下説明する。図３は、ＥＬパネルの側断面図である。図３に示すＥＬパネル４０は、支持する基板４１上に、導電性の薄膜からなる電極４２を形成、その上にプラスチック又はセラミックに蛍光物質を付着させた発光膜４３を形成、その上に導電性の薄膜からなる対極電極４４を積層形成後、保護用の基板４５により密封した構造である。支持基板側の電極と、保護基板側の対極電極とを交流電源４６を介して回路形成し、所定の光の強さの放出光４７を保護基板側の表面から出力する。
【００２９】
図３の支持する基板４１及び保護用の基板４５は、透明ガラスとし、その厚さを０．５〜１．０ｍｍ、例えば０．７ｍｍと、又は可とう性、透明性を有す樹脂基板、例えば０．１ｍｍ厚のフィルムを用い、ガラスとガラス、又はガラスとフィルム、フィルムとフィルム等基板材料の構成、厚さの選択によりＥＬパネルの厚さを最適化する。
【００３０】
ＥＬパネルでは、トップエミッション電界発光パネル（トップエミッションＥＬパネル）と、透明電界発光パネル（透明ＥＬパネル）と、フレキシブル電界発光パネル（フレキシブルＥＬパネル）を用いることができる。
【００３１】
トップエミッションＥＬパネルは、支持基板上に陽極の金属電極が配置され、その上に発光膜を含む薄膜と、電子注入性保護層と、透明電極をこの順に成膜したＥＬパネル基板である。次いで、ＥＬパネル基板をガラス等の封止基板で封止した層構成のＥＬパネルである。ＥＬパネルは、封止基板側から光を取り出すことができる利点がある。
【００３２】
透明ＥＬパネルは、支持基板上に陰極の透明電極が配置され、その上に発光膜を含む薄膜と、電子注入性保護層と、透明電極をこの順に成膜したＥＬパネル基板である。次いで、ＥＬパネル基板をガラス等の封止基板で封止した透明ＥＬパネルである。透明ＥＬパネルは、支持基板がガラス基板とすることにより封止基板側及び支持基板側の両面から光を取り出すことができる利点がある。
【００３３】
フレキシブルＥＬパネルは、基板にポリエチレンテレフタレート系やＰＣ（ポリカーボネート）などの可とう性、透明性を有す樹脂基板を用い、電界発光パネルの基板側の電極上にＳｉ3Ｎ4の窒化物やＳｉＯＮのような三元化合物によるパッシベーション膜を形成して、上部透明電極を形成したフレキシブルな電界発光パネルである。支持基板に求められる特性は、光学的に異方性がない、可視光領域（４００〜７００ｎｍ）において透明性が高い、耐熱性が良い、可とう性が高いなどでこれを満たす材料であればどれでも良い。
【００３４】
前記発光膜を含む薄膜は、正孔注入膜／正孔輸送膜／発光膜／電子輸送膜／電子注入膜の順の層構成され、正孔注入膜側は陽極であり、電子注入膜側は陰極となる構成であり、正孔注入膜、正孔輸送膜、電子輸送膜、電子注入膜は、必要に応じて適宜に選択し形成する。
【００３５】
本発明のＥＬパネルの製造方法について説明する。
【００３６】
ＥＬパネルの製造方法では、一方の基板は、支持基板上に陽極を形成する場合、正孔輸送膜への正孔注入効率を高めるため、仕事関数の高いＡｕやＣｒなどの金属材料を蒸着（１００〜１５０ｎｍ）し、その上に薄膜の正孔輸送膜、発光膜、保護膜の順に蒸着、またはスピンコート成膜（計１００〜２００ｎｍ）する。更に、これら発光膜を含む薄膜上にＩｎ2Ｏ3とＳｎＯ2の酸化物焼結体を共スパッタリング成膜（１００〜２００ｎｍ）し、透明電極を形成する。
【００３７】
透明ＥＬパネルは、ガラス基板である支持基板上にＩＴＯの透明電極を形成し、該基板上に正孔輸送膜、発光膜、保護膜の順に蒸着またはスピンコート成膜（計１００〜２００ｎｍ）し、更にこれら発光膜を含む薄膜上にＩｎ2Ｏ3とＺｎＯの酸化物焼結体をスパッタリング成膜（ＺｎＯターゲット粒子膜−１０〜３０ｎｍ、Ｉｎ2Ｏ3ターゲット粒子膜−１２０〜１４０ｎｍ合計１５０ｎｍ）し、透明電極を形成する。
【００３８】
前記発光膜では、トリス（８−キノリノール）アルミニウム（Ａｌｑ３）に代表されるキノリノール錯体やπ共役系高分子であるポリパラフェニレンビニレン（ＰＰＶ）、ポリフルオレン（ＰＦ）などが挙げられる。
【００３９】
透明電極の成膜方法は、主として酸化インジウムからなる酸化物焼結体をターゲットとして用いたスパッタリング法の成膜法で、プロセスガスであるＡｒとＯ2の流量比を２０／１〜３００／１にし、ガス導入時の圧力を０．０５〜３．０Ｐａに設定したプロセス条件による成膜方法である。
【００４０】
透明電極の成膜方法は、得られた透明電極膜の抵抗値が２０〜５０Ω／□であることが好ましい。また、可視光における光透過率は、光の取り出し効率を低下させないために９５％以上であることが好ましい。
【図面の簡単な説明】
【００４１】
【図１】本発明のＩＤコード読取方法の一実施例の側断面図である。
【図２】本発明のＩＤコード読取方法の一実施例の側断面図である。
【図３】本発明の薄型シート光源のＥＬパネルの側断面図である。
【図４】従来のＩＤコード読取方法の一実施例の側断面図である。
【符号の説明】
【００４２】
１…透明基板
２…ＩＤコード
１０…照明光源
１１…ＥＬパネル
２０…ＣＣＤカメラ
２１…プリズムミラー等の反射
２２…左右移動
２３…上下移動
２５…読み取り装置
３０…台座
４０…ＥＬパネル
４１…支持基板
４２…導電性電極膜
４３…発光物
４４…導電性対極電極膜
４５…保護基板
４６…電源
４７…放出光
５０…カセット
【図１】
2007193556.tif 000003
【図２】
2007193556.tif 000004
【図３】
2007193556.tif 000005
【図４】
2007193556.tif 000006